(57)【要約】【課題】電源がオンにされた際の起動時間を大幅に短縮するデジタルテレビジョン装置のための起動方法を提供すること。【解決手段】電源オンの時点で、制御プロセッサが最初に、要求される全てのレジスタの第１のサブセットに読み込みを行い、レジスタ値の第１のサブセットを使用して表示機能を実行することを始める。ユーザが、表示イメージを観ている間、プロセッサは、残りのレジスタに読み込みを行い、起動プロセスを完了する。読み込みが行われるべき第１のレジスタサブセットは、テレビジョン装置が前回にオフにされる前の、テレビジョン装置の最後の状態について、例えば、どのような入力源を視聴者が観ていたかについての情報に基づき、決定されることが可能である。代替として、第１のレジスタサブセットは、所定の初期機能に対応する所定のレジスタサブセットであってもよい。【選択図】  図１
2008172773.tif 000002
【特許請求の範囲】
【請求項１】
複数のレジスタを有するプロセッサと、前記プロセッサに接続され前記複数のレジスタのための値を格納するメモリと、を備えるデジタルテレビジョン装置を起動するための方法であって、
（ａ）前記複数のレジスタの第１のサブセットに前記メモリから値を読み込むステップと、
（ｂ）前記第１のレジスタサブセットの値を使用して前記テレビジョン装置の第１の機能を実行するステップと、
（ｃ）前記第１の機能を実行している間、前記複数のレジスタの第２のサブセットに前記メモリから値を読み込むステップと、
を含む方法。
【請求項２】
前記第１の機能を実行している間、前記複数のレジスタの更なるサブセットに前記メモリから読み込みを行うステップを更に含む、請求項１に記載の方法。
【請求項３】
前記第１の機能は、前記第２のレジスタサブセット及び前記更なるレジスタサブセットに読み込みが行われている間に実行される、前記テレビジョン装置上でイメージを表示することである、請求項２に記載の方法。
【請求項４】
（ｄ）前記テレビジョン装置の最後の状態に関する保存された状態情報を取り出すステップと、
（ｅ）参照テーブルを使用して、前記取り出された情報に基づいて読み込みが行われるべき前記第１のレジスタセットを識別するステップと、
をステップ（ａ）より前に更に含む、請求項１に記載の方法。
【請求項５】
前記第１のレジスタサブセットは、前記複数のレジスタの所定のサブセットであり、前記第１の機能は、所定の機能である、請求項１に記載の方法。
【請求項６】
前記所定のレジスタサブセット及び前記所定の機能を事前に設定するステップを更に含む、請求項５に記載の方法。
【発明の詳細な説明】
【発明の背景】
【０００１】
本発明は、デジタルテレビジョン装置に関し、より詳細には、デジタルテレビジョン装置の起動プロセスの制御に関する。
【０００２】
従来の（アナログ）テレビジョン装置が、ほとんど瞬時にオンになることが可能であるのに対して、既存のデジタルテレビジョン装置は、通常、オンになるのに１０秒以上もの、はるかに長い時間を要する。視聴者の便宜のため、デジタルテレビジョン装置のターンオン時間を短縮することが望ましい。
【発明の概要】
【０００３】
本発明は、デジタルで制御される標準精細度又は高精細度のテレビジョン装置のターンオンを制御するための回路及び／又はファームウェア、並びに関連技術の限界及び欠点による問題の１つ又は複数を実質的に未然に防ぐ関連する方法を対象とする。
【０００４】
本発明の目的は、デジタルテレビジョン装置のターンオン時間を短縮する制御回路及び／又は制御ファームウェアを提供することである。
【０００５】
本発明の更なる特徴及び利点は、後段の説明において示され、部分的には、その説明から明白となり、或いは、本発明の実施によって知ることができる。本発明の目的及びその他の利点は、本発明の記載される説明及び請求項、並びに添付の図面において特に指摘される構造によって実現され、達せられる。
【０００６】
以上の利点及びその他の利点を実現するために、具体化され大枠で説明される本発明の目的によれば、本発明は、複数のレジスタを有するプロセッサと、プロセッサに接続され、複数のレジスタのための値を格納するメモリとを備えるデジタルテレビジョン装置を起動するための方法を提供する。その方法は、（ａ）複数のレジスタの第１のサブセットにメモリから値を読み込むステップと、（ｂ）第１のレジスタサブセットの値を使用してテレビジョン装置の第１の機能を実行するステップと、（ｃ）第１の機能を実行している間、複数のレジスタの第２のサブセットにメモリから値を読み込むステップとを含む。一実施形態において、方法は、ステップ（ａ）より前に、（ｄ）テレビジョン装置の最後の状態に関する保存された状態情報を取り出すステップと、（ｅ）参照テーブルを使用して、取り出された情報に基づいて読み込みが行われるべき第１のレジスタセットを識別するステップとを更に含む。
【０００７】
以上の一般的な説明及び以下の詳細な説明はともに、例示的であり、説明的であり、請求項に記載された本発明の更なる説明を提供することを意図しているものと理解されたい。
【好ましい実施形態の詳細な説明】
【０００８】
図３に示されるとおり、デジタルテレビジョン装置は、ＴＶの様々な機能を制御する制御プロセッサ３１を有する。プロセッサ３１は、プロセッサによって、デジタルテレビジョン装置の様々なサブコンポーネントの機能を制御するのに使用されるレジスタ値を格納する複数のレジスタ３１ａを含む。既存のデジタルテレビジョン装置が、オンになるのに長い時間（例えば、１０秒以上）を要する１つの理由は、ＴＶが、オン（電源オン）にされる際、制御プロセッサ３１が、起動されなければならないからであり、この起動プロセスの一環として、プロセッサは、メモリ３２（不揮発性メモリ又はバッテリバックアップ付きメモリ）からプロセッサ３１のレジスタ３１ａにデータを読み込む。最新のデジタルＴＶは、通常、１０００個程度のレジスタを有し、従来の起動プロセスによれば、全てのレジスタに読み込みが行われてから、スクリーン上でイメージが表示される。
【０００９】
しかし、全てのレジスタが、ＴＶの或る特定の機能を実行するのに必要とされるわけではない。レジスタは、様々なカテゴリに分類され、ＴＶの様々な機能の制御に関与している。例えば、デジタルＴＶは、以下のカテゴリのレジスタを有することが可能である。すなわち、標準精細度ＴＶ信号の処理と関係する制御レジスタ、ＡＴＳＣチューナ信号の処理と関係する制御レジスタ、ＶＧＡコンピュータ信号の処理と関係する制御レジスタ、ビデオ信号のスケーリング処理と関係する制御レジスタ、ビデオ信号のデインターレース処理と関係する制御レジスタ、ＬＣＤパネル、プラズマパネル、ＬＣｏＳパネルなどの特定のディスプレイ装置を駆動することと関係する制御レジスタである。制御プロセッサ３１が、可能な全ての制御機能を完全に実行するのに、全てのパラメータが必要とされるのに対して、任意の特定の機能を実行するのに、それらのパラメータのサブセットだけしか必要とされない。例えば、ＨＤＭＩ（高精細度マルチメディアインタフェース）信号を処理するのに、ＶＧＡ制御レジスタは、セットアップされなくてもよく、高精細度（ＡＴＳＣ）信号を処理するのに、標準精細度制御レジスタは、セットアップされなくてもよいといった具合である。
【００１０】
本発明の諸実施形態によれば、デジタルＴＶのターンオン時間は、最初に、レジスタ３１ａのサブセット（以下、レジスタサブセットと記す）だけに読み込みを行うことによって大幅に短縮されることが可能である。ＴＶが電源オンにされると、ＴＶが、所望されるブロードキャストチャネルを受信することや、表示することなどの、所望される機能を実行することができるように、レジスタサブセットだけに読み込みが行われる。視聴者が、初期表示を観ている間、残りのレジスタに読み込みが行われ、制御プロセスが、起動プロセスを完了する。好ましくは、初期表示は、ＴＶがオフにされる前、視聴者が最後に何を観ていたかによって決定される。この目的で、プロセッサは、ＴＶがオフにされる前に、ＴＶが現在入力を受信している源、例えば、チューナ、ケーブル、セットトップボックス、ＤＶＤプレーヤなど、を含め、ＴＶの状態についての情報を保存する。これは、殆どの既存のデジタルＴＶによって既に実行されている。メモリの中に予め格納された参照テーブルを使用して、複数の機能のそれぞれを実行するのに必要なレジスタのリストが提供されることが可能である。
【００１１】
図１は、本発明の或る実施形態による多段起動プロセスを示す流れ図である。電源がオンにされると、プロセッサは、ＴＶがオフにされる直前のＴＶの状態、例えば、視聴者が、チューナによって供給されるイメージを観ていたか、ケーブルによって供給されるイメージを観ていたか、セットトップボックスによって供給されるイメージを観ていたか、ＤＶＤプレーヤによって供給されるイメージを観ていたかなどについての保存された情報を取り出す（ステップＳ１１）。次に、プロセッサは、例えば、参照テーブルを使用することにより、ＴＶの最後の状態についての取り出された情報に基づいて、読み込みが行われるべき第１のレジスタサブセットを識別し（ステップＳ１２）、第１のレジスタサブセットに読み込みを行う（ステップＳ１３）。次に、プロセッサは、ＴＶの最後の状態に応じたイメージ、例えば、ＴＶが前回にオフにされる前に視聴者が観ていたのと同一のチャネルを表示するよう、ＴＶを制御する（ステップＳ１４）。それらのイメージが表示されている間、プロセスは、残りのレジスタに読み込みを行い、起動プロセスを完了する（ステップＳ１５）。残りのレジスタには、１つの段階で、又は２つ以上の更なる段階（すなわち、更なる機能などをＴＶが実行することを可能にする第２のレジスタサブセットに読み込みを行うこと）で読み込みが行われることが可能である。起動プロセスが完了した後、ＴＶは、ＴＶの機能の全てを実行することができる。
【００１２】
代替として、それほど好ましくないものの、プロセッサは、電源オンにされると、或る特定の初期機能を常に実行するように、例えば、最初、或る特定のブロードキャストチャネルに常に同調するように、プログラミングされてもよい。初期機能は、ＴＶのセットアップ機能を使用して、ユーザによって選択されることが可能である。この代替の設計では、プロセッサは、所定のレジスタサブセットに読み込みを行い、参照テーブルは、全く必要ない。図２に示されるとおり、プロセッサは、所定の第１のレジスタサブセットに読み込みを行い（ステップＳ２１）、第１のレジスタサブセットを使用して、初期状態に対応するＴＶ機能を開始し（ステップＳ２２）、次に、残りのレジスタに読み込みを行い、起動プロセスを完了する（ステップＳ２３）。このプロセスは、図１に示されるプロセスと同様であるが、最後の状態についての情報を取り出すステップ及び第１のレジスタサブセットを調べるステップは、省かれることを見て取ることができる。
【００１３】
本発明の趣旨又は範囲を逸脱することなく、本発明の多段起動方法に様々な変更及び変形が行われることが可能であることが、当業者には明白であろう。このため、本発明は、添付の特許請求の範囲及び均等物の範囲に含まれる変更形態及び変形形態を範囲に含むものとする。
【図面の簡単な説明】
【００１４】
【図１】本発明の或る実施形態によるデジタルテレビジョン装置のための起動方法を示す流れ図である。
【図２】本発明の別の実施形態によるデジタルテレビジョン装置のための起動方法を示す流れ図である。
【図３】本発明の或る実施形態によるデジタルテレビジョン装置を示すブロック図である。
【符号の説明】
【００１５】
３１  制御プロセッサ
３１ａ  レジスタ
３２  メモリ
【図１】
2008172773.tif 000003
【図２】
2008172773.tif 000004
【図３】
2008172773.tif 000005
【外国語明細書】
2008172773000001.pdf